(57)【要約】【課題】手軽さに優れ、いつでも、どこでも、少しの時間で楽しく利用できる簡易製本式本製作キット及び簡易製本式本の提供。【解決手段】本を構成する２つ折りにする複数のシートを備え、そのうち１つのシート１１は折り目となる位置の中間部に切り込み口を有し、他のシート１２〜１４は折り目となる位置の両端部に切り込みを入れて当該折り目が前記切り込み口に挿通可能に形成され、１つのシートの切り込み口に、他のシートの少なくとも折り目を境に片側一方を丸めた状態で差し通し、他のシートの折り目を差し込んで、各シートを結合する製本形式を取る。【選択図】図１
0003124411.tif 000002
【実用新案登録請求の範囲】
【請求項１】
本を構成する２つ折りにする複数のシートを備え、
そのうち１つのシートは折り目となる位置の中間部に切り込み口を有し、
他のシートは折り目となる位置の両端部に切り込みを入れて、当該折り目が前記切り込み口に挿通可能に形成されたことを特徴とする簡易製本式本製作キット。
【請求項２】
複数のシートは全数又は所定の数毎に、１つのシート基材に一体にかつ各別に分割可能に形成される請求項１に記載の簡易製本式本製作キット。
【請求項３】
本を構成する２つ折りにする複数のシートからなり、
そのうち１つのシートは折り目となる位置の中間部に切り込み口が形成され、
他のシートは折り目となる位置の両端部に切り込みを入れて、当該折り目が前記切り込み口に挿通可能に形成され、
前記１つのシートの切り込み口に、前記他のシートの少なくとも折り目を境に片側一方を丸めた又は折り曲げた状態で差し通し、前記他のシートの折り目を差し込んで、前記各シートを結合する製本形式を取ることを特徴とする簡易製本式本。
【考案の詳細な説明】
【技術分野】
【０００１】
本考案は、簡易な絵本その他の本、冊子に適する簡易製本式本製作キット及び簡易製本式本に関する。
【背景技術】
【０００２】
従来から、幼児や児童が絵本を見る、読むことに併せて、絵本を作ることを楽しむために、簡易な方法で制作できる手作り絵本の材料が提案されている。この種の手作り絵本材料が特許文献１に記載されている。この文献１の台紙セットは、２つ折りにし、その裏面片側に剥離紙付き粘着材を塗布した画用紙と、当該画用紙を複数枚貼り合わせ作成した絵本本体に貼り付けて表紙とする剥離紙付き粘着材を塗布した厚紙で、表表紙・背表紙・裏表紙・表表紙見開き用折り目・裏表紙見開き用折り目を付けた表紙用厚紙とにより構成され、絵本の製作者が絵を描いた当該画用紙と表紙となる当該厚紙とを、剥離紙を剥がし圧着するだけで製本できるようになっている。この台紙セットにより、誰でも、容易に、短時間に絵本を制作することができる。
【特許文献１】実用新案登録第３１０２６４３号公報
【考案の開示】
【考案が解決しようとする課題】
【０００３】
しかしながら、上記のような台紙セットでは、複数の画用紙を粘着材で貼り合わせたり、画用紙を厚紙に粘着材で貼り付けたりするため、絵本などの本をしっかりと体裁よく作るのには適するが、その分だけ手軽さを欠き、いつでも、どこででも、少しの時間で楽しく利用できるものとは言い難い。
【０００４】
本考案は、このような従来の問題を解決するもので、手軽さに優れ、いつでも、どこででも、少しの時間で楽しく利用できる簡易製本式本製作キット及び簡易製本式本を提供すること、を目的とする。
【課題を解決するための手段】
【０００５】
上記目的を達成するために、本考案の簡易製本式本製作キットは、本を構成する２つ折りにする複数のシートを備え、そのうち１つのシートは折り目となる位置の中間部に切り込み口を有し、他のシートは折り目となる位置の両端部に切り込みを入れて、当該折り目が前記切り込み口に挿通可能に形成されたことを要旨とする。この場合、複数のシートは全数又は所定の数毎に、１つのシート基材に一体にかつ各別に分割可能に形成されることが好ましい。
【０００６】
本考案の簡易製本式本は、本を構成する２つ折りにする複数のシートからなり、そのうち１つのシートは折り目となる位置の中間部に切り込み口が形成され、他のシートは折り目となる位置の両端部に切り込みを入れて、当該折り目が前記切り込み口に挿通可能に形成され、前記１つのシートの切り込み口に、前記他のシートの少なくとも折り目を境に片側一方を丸めた又は折り曲げた状態で差し通し、前記他のシートの折り目を差し込んで、前記各シートを結合する製本形式を取ることを要旨とする。
【考案の効果】
【０００７】
本考案の簡易製本式本製作キット及び簡易製本式本は、上記各構成を有し、１つのシートの切り込み口に、他のシートの少なくとも折り目を境に片側一方を丸めた状態又は折り曲げた状態にして差し通し、他のシートの折り目を差し込むことにより、複数のシートを簡単に製本することができ、この本製作キット及び本を手軽に、いつでも、どこででも、少しの時間で楽しく利用することができる。
【考案を実施するための最良の形態】
【０００８】
以下、本考案の一実施の形態について、図１を用いて説明する。図１において、この簡易製本式本製作キット１は幼児向け絵本の製作キットで、１枚のシート基材１０からなり、絵本を構成する２つ折りにする複数のシート１１〜１４を一体に備える。この場合、シート基材１０は紙材からなり、全体が横方向に長い長方形状に形成される。複数のシート１１〜１４は４枚構成で、シート基材１０の左半面の上下に２枚、右半面の上下に２枚備え、シート基材１０の横方向中心に縦方向に向けて、また縦方向中心横方向に向けて、分割部１５、１６としてミシン線が入れられて、各シート１１〜１４が各別に分割可能に形成される。なお、各シート１１〜１４において、２つ折りにする場合の折り目Ｃは横方向中央に設けられる。
【０００９】
このシート基材１０の場合、４枚構成のシート１１〜１４のうち、（左半面の上位置にある）１枚のシート１１は表紙を含む表紙シートで、この表紙シート１１の場合、表面の（折り目Ｃを境に）左側の面に表紙が設けられ、絵本のタイトルや表紙の絵、作者名などが印刷され、また、他の面（表面の右側及び裏面の左右の面）に絵本の内容である絵や文字が印刷される。この表紙シート１１には、折り目Ｃとなる位置の中間部に、その折り目Ｃに直接線状の切り込みを入れて切り込み口１７が形成され、さらに、この切り込み口１７の両端に小さなパンチ穴１８が併せて設けられる。他の３枚のシート１２〜１４は、表面、裏面の左右各面に絵本の内容である絵や文字が印刷される。これら３枚のシート１２〜１４は、折り目Ｃとなる位置の両端部に、その折り目Ｃに直接線状の切り込み１９を入れて、その折り目Ｃ部分が表紙シート１１の切り込み口１７に挿通可能に、切り込み口１７と略同じ長さ又は少し短い長さに形成され、さらに、それぞれの切り込み端（切り込み１９の内側端）に小さなパンチ穴２０が併せて設けられる。なお、４枚のシート１１〜１４の絵や文字はこれらのシート１１〜１４が製本されることで、一つの絵や一連のストーリーとなってつながることは言うまでもない。
【００１０】
このようにして簡易製本式本製作キット１は構成され、１つのシート１１の切り込み口１７に、他の各シート１２〜１４を重ねて少なくとも折り目Ｃを境に片側一方の面を丸めた状態又は折り曲げた状態で差し通し、その折り目Ｃ（３枚のシート１２〜１４の折り目Ｃ）を差し込んで、各シート１１〜１４を結合する製本形式を取る。この製本形式によるこの製作キット１の作り方について、図１乃至図６を用いて説明する。
【００１１】
図１において、まず、シート基材１０を４枚のシート１１〜１４に分割する。この場合、シート基材１０のミシン線１５、１６で、各シート１１〜１４を簡単に切り離すことができる。次に、図２に示すように、折り目Ｃの上下に切り込み１９を有する３枚のシート１２〜１４、つまり表紙シート１１以外の３枚のシート１２〜１４を予め決められた順番に重ね合わせる。次いで、図３に示すように、これら３枚のシート１２〜１４を重ねた状態から、折り目Ｃを境に片側一方、この場合、左側の面を手で筒状に丸める。続いて、図４に示すように、これら３枚のシート１２〜１４の丸めた部分を表紙シート１１の中央切り込み口１７に差し通し、続いて、図５に示すように、折り目Ｃの部分を差し込む。このようにして３枚のシート１２〜１４の中央の折り目Ｃを、表紙シート１１の中央の切り込み口１７まで差し通したら、３枚のシート１２〜１４の丸めた部分から手を離し、（丸めた部分を）元の状態に展ばし広げる。そして、図６に示すように、表紙シート１１の表紙の面を外側にして４枚のシート１１〜１４を折り目Ｃに沿って２つに折ると、４枚のシート１１〜１４は製本されて、絵本（簡易製本式本）が出来上る。なお、この完成品において、表紙１１の切り込み口１７のパンチ穴１８と他の３枚のシート１２〜１４の切り込み１９のパンチ穴２０が相互に係合されるので、４枚のシート１１〜１４は確実に抜け止めされ、各シート１１〜１４が抜け、ずれを防止されて、しっかりと製本される。
【００１２】
以上説明したように、この幼児向け絵本の簡易製本式本製作キット１によれば、本を構成する２つ折りにする複数のシート１１〜１４を備え、そのうち１つのシート（表紙シート）１１の折り目Ｃとなる位置の中央に切り込み口１７を設け、他の各シート１２〜１４の折り目Ｃとなる位置の両端部に切り込み１９を入れて、当該中央の折り目Ｃを切り込み口１７に挿通可能に形成したので、１つのシート（表紙シート）１１の折り目Ｃの中央に設けた切り込み口１７に、残りの他のシート１２〜１４の少なくとも折り目Ｃを境に片側一方の面を丸めて差し通し、他の各シート１２〜１４の中央の折り目Ｃを差し込むことにより、各シート１１〜１４を簡単に製本することができ、この本製作キット１を手軽に、いつでも、どこででも、少しの時間で楽しく利用することができる。ユーザーとなる幼児は絵本を手作り感覚で作ることを楽しみ、その作った絵本を見て、読んで、また楽しむことができる。
【００１３】
また、この簡易製本式本製作キット１の場合、複数のシート１１〜１４を全（枚）数、１つのシート基材１０に一体にかつ各別に分割可能に形成するので、大量生産が容易で、低コストに提供することができる。
【００１４】
なお、上記実施の形態では、１枚のシート基材１０からなる４枚構成のシート１１〜１４で構成しているが、このシート基材及びシートの枚数は任意であり、２枚以上のシート基材で構成してもよく、また１シート基材に２枚又は３枚又は４枚以上のシートを備えてもよい。また、複数のシート１１〜１４を初めから各別に形成しても勿論かまわない。また、シートを紙製のシートとしたが、柔軟性を有するプラスチック材料や金属材料で形成することもできる。
【００１５】
また、上記実施の形態では、１つのシート基材１０における各シート１１、１２、１３、１４の分割部１５、１６にミシン線を入れているが、ミシン線に代えて、分割の目安となる線を印刷その他の手段により記入して、この線に沿ってハサミやカッターなどで切断するようにしてもよい。
【００１６】
さらに、上記実施の形態では、各シート１１〜１４に表紙及び（絵）本の内容となる絵や文字を印刷したものを例示しているが、各シート１１〜１４を無地にして、ユーザー自身が各シート１１〜１４に絵や文字などを記入して、ユーザーのオリジナル（絵）本を作ったり、写真を貼り付けて、写真集を作ったりすることができる。
【００１７】
またさらに、上記実施の形態では、幼児向けの簡易製本式本製作キットとして例示したが、幅広い年齢層に適用する内容のものとしても提供することができる。
【００１８】
また、上記実施の形態では、簡易製本式本製作キットとして例示したが、簡易製本式本
として提供することもできる。すなわち、この簡易製本式本は、本を構成する２つ折りにする複数のシートからなり、そのうち１つのシートは折り目となる位置の中間部に切り込み口が形成され、他のシートは折り目となる位置の両端部に切り込みを入れて、当該折り目が切り込み口に挿通可能に形成され、１つのシートの切り込み口に、他のシートの少なくとも折り目を境に片側一方を丸めた又は折り曲げた状態で差し通し、他のシートの折り目を差し込んで、各シートを結合する製本形式を取り、上記実施の形態のように、読書が自ら本を作るようにしてもよく、また、読者に製本後のものを提供してもよい。前者の場合、上記実施の形態と同様の作用効果を得ることができ、後者の場合、新たな製本形式の手軽な本、冊子として読者に提供することができる。
【図面の簡単な説明】
【００１９】
【図１】本考案の一実施の形態における簡易製本式本製作キットの平面図
【図２】同本製作キットの作り方を示し、同本製作キットから切り離した３枚のシート（他のシート）の平面図
【図３】同本製作キットの作り方を示し、同本製作キットから切り離した３枚のシート（他のシート）の片側一方の面を丸める状態の平面図
【図４】同本製作キットの作り方を示し、同本製作キットから切り離した３枚のシート（他のシート）の丸めた部分を表紙シート（１つのシート）の中央切り込み口に差し込む状態の平面図
【図５】同本製作キットの作り方を示し、同本製作キットから切り離した３枚のシート（他のシート）の丸めた部分に続いて、中央の折り目を表紙シート（１つのシート）の中央切り込み口に差し込んだ状態の平面図
【図６】同本製作キットの作り方を示し、同本製作キットから切り離した３枚のシート（他のシート）の丸めた部分に続いて、中央の折り目を表紙シート（１つのシート）の中央切り込み口に差し込んだ後、表紙を外側にして２つ折りにした出来上りの状態の平面図
【符号の説明】
【００２０】
１  簡易製本式本製作キット
１０  シート基材
１１〜１４  シート
１５、１６  分割部（ミシン線）
Ｃ  折り目
１７  切り込み口
１８  パンチ穴
１９  切り込み
２０  パンチ穴
【図１】
0003124411.tif 000003
【図２】
0003124411.tif 000004
【図３】
0003124411.tif 000005
【図４】
0003124411.tif 000006
【図５】
0003124411.tif 000007
【図６】
0003124411.tif 000008